(57)【要約】【課題】発泡性洗浄剤を浸透させた水溶性の紙を３弁又は複数弁からなる大小の花びらに裁断し、この大きさの異なる花びら複数枚を重ね合わせて花の形にし、この花の形を保持するための花挿着穴を設けた取付枠の穴に花を挿着し、取付台を容器内に入れて蓋をする花形入浴剤の梱包方法を提供する。【解決手段】発泡性洗浄剤を浸透させた水溶性の紙を２弁又は複数弁の花びら６に裁断し、この大きさの異なる花びら６を複数枚重ね合わせ、中央部から上方へ折り返して一個の八重咲状の花Ａを完成させ、完成させた花Ａ複数個を別途設けた花取付枠２の花挿着穴３に挿着した後、別途設けた容器１内に前記花取付枠２を収納し、蓋５を覆設することを特徴とする。【選択図】　　　　　　図１
2004018115.tif 000002
【特許請求の範囲】
【請求項１】
発泡性洗浄剤を浸透させた水溶性の紙を３弁又は複数弁からなる大小の花びらに裁断し、この大きさの異なる花びら複数枚を重ね合わせ、中央部から上方へ折り返して一個の八重咲状の花を完成させ、完成させた花複数個を別途設けた花取付枠の花挿着穴に挿着した後、別途設けた容器内に花取付枠を納入し、容器に蓋を覆設することを特徴とする花形入浴剤の梱包方法。
【請求項２】
同形状の花びら複数枚を重ね合せた一個分の花びら複数個を、別途設けた容器内に仕切板を介して分けて収納し、容器に蓋を覆設することを特徴とする花形入浴剤の梱包方法。
【発明の詳細な説明】
【０００１】
【発明の属する技術分野】
本発明は発泡性洗浄剤を浸透させた水溶性の紙を花びら状に裁断し、裁断した複数枚を重ね合わせて花の形にし、この花の形を保持するための花挿着穴を設けた花取付台の穴に花を挿着し、取付台を容器内に入れて蓋をする方法と、裁断した花びら複数枚重ね合せた一個分の花びらを容器内に分けて収納する入浴剤の梱包方法に関するものである。
【０００２】
【従来の技術】
従来、入浴剤は液体を瓶詰めにしたものから、液体を粉末状にして袋に入れたり、粉末を固形にしたもの等各種提供され、近時、単に入浴剤として使用するだけではなく、意匠性、装飾性に優れた入浴剤として愛用されている。
又、この入浴剤は浴槽内に投入すると花びらを浮かべたようになり、攪拌したりシャワーを浴びせたりすると泡が立ち、やがて跡形もなく湯水に溶解するようになっているが、このような入浴剤の梱包については特定されておらず、搬送、販売に際しては担当部門の判断に任されている現況にある。
【０００３】
【発明が解決しようとする課題】
しかし、このような湯水に溶解する入浴剤は、保管したり移送する場合、花びらが変形したり、壊れたり、或いは変色したり、水分によって溶解したりするおそれがあるので、充分に管理をする必要があった。
特に接着剤を使用せずに形成した花の形を長時間保持するには独自の工夫を施さなければならなかった。
本発明は発泡性洗浄剤を浸透させた水溶性の紙を花弁状に裁断し、これを複数枚重ね合わせて花の形にし、この花の形を保持するために設けた花取付台の花挿着穴に前記花を挿着し、取付台を容器内に入れて蓋をして梱包する入浴剤の梱包方法及び同形状の花びら複数枚重ね合せた一個分の花びら複数個を、別途設けた容器内に分けた収納し、容器に蓋をする方法を提供することを目的とする。
【０００４】
【課題を解決するための手段】
上記目的を達成するため本発明は、発泡性洗浄剤を浸透させた水溶性の紙を３弁又は複数弁からなる大小の花びら６に裁断し、この大きさの異なる花びら６を複数枚重ね合わせ、大型の花びらを外側にして中央部から上方へ折り返して一個の八重咲状の花Ａを完成させ、完成させた花Ａ複数個を別途設けた花取付枠２の花挿着穴３に挿着した後、別途設けた容器１内に前記花取付枠２を収納し、蓋５を覆設するものである。
又、同形状の花びら６複数枚積み重ねた一個分の花びら複数個を、別途設けた容器１内に仕切板７を介して分けて収納し、蓋を覆設するものである。
【０００５】
【発明の実施の形態】
以下、本発明の実施の形態を図面に基いて説明する。
【０００６】図１は本発明による花形入浴剤入り容器の分解斜視図で図２は花びらの一例を示した平面図、図３は花びらを重ね合わせて形成した花の斜視図で、頭４は本発明の他の実施例を示した図で、図中の符号Ａは花を示す。
【０００７】
１は上方が開口された有底の容器で、収納する花が外部から確認できるように透明又は一部半透明の合成樹脂板が使用されている。
容器１は特定の形状のものではなく、図１に示したように長方形状の容器の他に円形状、多角形状、楕円形状等の容器が考えられる。
【０００８】
２は下方が開口され上方が有底の花取付枠で、有底部に花挿着穴３が設けられ、花挿着穴３に花を挿着した後、前記容器１内に収納されるようになっている。
花取付枠２は図１に示したように、容器１よりやや小さく形成され、容器１の深さの３分の１程度の高さに形成されているが、花挿着穴３に挿着される花の形状や大きさによって多少異なる場合もある。
【０００７】
挿着穴３は特定の径のものではなく、花の種類や大きさによって異なり、又、穴は円形に限らない。
穴の数や穴を設ける位置は、花の種類、販売する際の設定にしたがって決められる。
【０００８】
４は花取付枠２の四隅に設けられる切り込みで、特に必要なものではないが、花取付枠２を容器１内に設置する際挿入しやすいようにしたものである。
【０００９】
５は容器１に覆設する蓋で、内側の寸法が容器１の外側の寸法と略一致するように形成され、容器１内に収納されている花Ａが確認されるように透明又は半透明の合成樹脂板で構成されいている。
蓋５と容器１は、収納されている花の種類、色、形状等が表示されていれば必ずしも透明でなくてもよい。
又、蓋５は図５に示したように四角筒状に形成し、この四角筒状の蓋５の中に花びらＡを収納した容器１を挿着することもできる。
花Ａは厚さ約０、５ｍｍ程度の水溶性の紙に発泡性洗浄剤を浸透させたものであるため、できるだけ湿気を避けなければならないので、容器１に蓋５を覆設した際、内部は出来るだけ密封状態になることが望ましい。
【００１０】
６は発泡性洗浄剤を浸透させた水溶性の紙を裁断した花びらで、図面では４弁、５弁になっているが、４弁、５弁に限定されるものではなく、３弁の複数弁でもよく、形状も限定されるものではない。
花びら６は大きさの異なるものを複数枚一組として使用するもので、大きい形の花びらの上に順次小さい花びらを数枚重ね合わせ、外側を上方へ折り返すようにし、図３に示したように花Ａを形成する。
【００１１】
このように形成された花Ａは図１にに示したように花取付枠２に設けられた各花挿着穴３に挿着し、蓋５を覆設して花形入浴剤が完成する。
又、図４に示したように、花びら複数枚重ね合せた一個分をの仕切板７を介して複数個に分けて収納し、蓋５を覆設する。
【００１２】
このようにして製造された花形入浴剤を使用する場合は次のようになる。
容器１内から取り出した花びらを浴槽内に浮かべることによって南国風の温泉気分を楽しむことができる。
又、浴槽内に入れた花に温水シャワーを勢いよく浴びせたり、攪拌したりすると泡が立つので泡風呂（バブルバス）として楽しむことができる。
【００１３】
本発明の特徴は平面的な大きさの異なる複数の水溶性の花びらを、接着剤や芯材を使わずに重ね合わせ、区切られたスペース（花弁取付穴）挿入して花の形を保持させるようにしたもので、容器内に密封状に梱包された花は強い衝撃を与えない限り型が崩れず、長期間の保存が可能である。
【００１４】
【発明の効果】
上記のような本発明には次のような効果がある。
ａ．大小複数枚の花びらを重ね合わせ、中心部分を花取付枠の花挿着穴に押し込
むことによって接着剤や芯材の必要はなく自然に花の形が保たれる。
ｂ．容器、蓋、花取付枠を透明な合成樹脂板を使用することによって梱包された
花が良く見えるので、好みに従って選択できる。
ｃ．透明な容器の中に形状、色彩の美しい花が梱包されているので、室内装飾品
として利用することもできる。
ｄ．容器、蓋、花取付枠は何れも簡単に成型できるので製造コストが安く、組立
て工程も簡単なので安価に提供できる。
【図面の簡単な説明】
【図１】本発明による花形入浴剤入り容器の分解斜視図である。
【図２】花びらの一例を示した図である。
【図３】花びらを重ね合わせて形成した花の斜視図である。
【図４】本発明の第２実施例図である。
【図５】蓋を四角筒状にした応用例図である。
【符号の説明】
１　容器
２　花取付枠
３　花挿着穴
４　切り込み
５　蓋
６　花びら
７　仕切板
Ａ　花
【図１】
2004018115.tif 000003
【図２】
2004018115.tif 000004
【図３】
2004018115.tif 000005
【図４】
2004018115.tif 000006
【図５】
2004018115.tif 000007